(57)【特許請求の範囲】
【請求項１】
青色レーザ光源と、赤色レーザ光源および赤外レーザ光源の少なくとも一方と、上記青色レーザ光源から出射された青色光を光記録媒体に集光する青色光用対物レンズと、上記赤色レーザ光源から出射された赤色光および上記赤外レーザ光源から出射された赤外光を光記録媒体に集光する、赤色光および赤外光用対物レンズとを備える光ピックアップ装置において、
上記青色レーザ光源、上記赤色レーザ光源、および上記赤外レーザ光源と、上記青色光用対物レンズ並びに上記赤色光および赤外光用対物レンズとの間の光路中に、上記青色光と、上記赤色光および上記赤外光とを分岐する光路分岐手段を備え、
上記光路分岐手段から上記赤色光および赤外光用対物レンズまでの分岐光路中に、上記青色光を減衰する青色光減衰手段が設けられ、
上記光路分岐手段は、上記赤色光および赤外光を透過させ、かつ、上記青色光用対物レンズが備えられている側に上記青色光を反射させる分岐面と、上記分岐面を透過した赤色光および赤外光を外部に出射させる出射面とを含む、青色光立上げミラーであり、
上記青色光立上げミラーの出射面には、上記青色光減衰手段として、上記赤色光および赤外光を透過させるとともに上記青色光の透過率が上記青色光の反射率よりも低い青色光低透過面が形成されていることを特徴とする光ピックアップ装置。
【請求項２】
上記青色光立上げミラーは、一方の面が上記分岐面となり、該一方の面とは反対の面が上記出射面となる平板形状を有しており、上記分岐面には、上記青色光の透過率が上記青色光の反射率よりも低い青色光低透過面が設けられていることを特徴とする請求項１に記載の光ピックアップ装置。
【請求項３】
上記青色光立上げミラーは、上記分岐面としての内部青色光低透過面と、上記出射面とを含むキューブ形状を有しており、
上記内部青色光低透過面は、上記青色光立上げミラーの内部に設けられ、上記赤色光および赤外光を透過させ、かつ上記青色光を反射させる、上記青色光の透過率が上記青色光の反射率よりも低い面であることを特徴とする請求項１に記載の光ピックアップ装置。
【請求項４】
上記青色レーザ光源の波長範囲は、３９０ｎｍ以上かつ４２０ｎｍ以下であることを特徴とする請求項１に記載の光ピックアップ装置。
【請求項５】
上記赤色光および赤外光用対物レンズは、オレフィン系樹脂、または脂環式オレフィン系樹脂により形成されていることを特徴とする請求項１に記載の光ピックアップ装置。
【請求項６】
青色レーザ光源と、赤色レーザ光源および赤外レーザ光源の少なくとも一方と、上記青色レーザ光源から出射された青色光を光記録媒体に集光する青色光用対物レンズと、上記赤色レーザ光源から出射された赤色光および上記赤外レーザ光源から出射された赤外光を光記録媒体に集光する、赤色光および赤外光用対物レンズとを備える光ピックアップ装置において、
上記青色レーザ光源、上記赤色レーザ光源、および上記赤外レーザ光源と、上記青色光用対物レンズ並びに上記赤色光および赤外光用対物レンズとの間の光路中に、上記青色光と、上記赤色光および上記赤外光とを分岐する光路分岐手段を備え、
上記光路分岐手段から上記赤色光および赤外光用対物レンズまでの分岐光路中に、上記青色光を減衰する青色光減衰手段が設けられ、
上記光路分岐手段は、上記赤色光および赤外光を透過させ、かつ、上記青色光用対物レンズが備えられている側に上記青色光を反射させる、青色光立上げミラーであり、
上記青色光立上げミラーは、上記青色光の透過率が上記青色光の反射率よりも低い青色光低透過面が両面に設けられた平板形状を有しており、
上記青色光立上げミラーの両面のうち、上記透過させた赤色光および赤外光を外部に出射させる側の面に設けられた青色光低透過面は、上記青色光減衰手段として設けられていることを特徴とする光ピックアップ装置。
【請求項７】
青色レーザ光源と、赤色レーザ光源および赤外レーザ光源の少なくとも一方と、上記青色レーザ光源から出射された青色光を光記録媒体に集光する青色光用対物レンズと、上記赤色レーザ光源から出射された赤色光および上記赤外レーザ光源から出射された赤外光を光記録媒体に集光する、赤色光および赤外光用対物レンズとを備える光ピックアップ装置において、
上記青色レーザ光源、上記赤色レーザ光源、および上記赤外レーザ光源と、上記青色光用対物レンズ並びに上記赤色光および赤外光用対物レンズとの間の光路中に、上記青色光と、上記赤色光および上記赤外光とを分岐する光路分岐手段を備え、
上記光路分岐手段から上記赤色光および赤外光用対物レンズまでの分岐光路中に、上記青色光を減衰する青色光減衰手段が設けられ、
上記光路分岐手段は、上記赤色光および赤外光を透過させ、かつ、上記青色光用対物レンズが備えられている側に上記青色光を反射させる、青色光立上げミラーであり、
上記青色光立上げミラーは、キューブ形状を有しており、
上記青色光立上げミラーの内部に設けられ、上記赤色光および赤外光を透過させ、かつ上記青色光を反射させる、上記青色光の透過率が上記青色光の反射率よりも低い内部青色光低透過面と、
上記透過させる赤色光および赤外光を外部に出射するキューブ外面であって、上記青色光の透過率が上記青色光の反射率よりも低い青色光低透過面を有する出射面と、を含んでおり、
上記青色光立上げミラーの出射面が有する青色光低透過面は、上記青色光減衰手段として設けられていることを特徴とする光ピックアップ装置。
【発明の詳細な説明】
【技術分野】
【０００１】
本発明は、光ディスクなどの光情報記録媒体に対して、光学的に情報を記録または再生する光ピックアップ装置に関するものである。
【背景技術】
【０００２】
近年、ＢＤ（Blu-ray Disc）や、ＨＤ（High Definition）−ＤＶＤなどに対応した光ピックアップ装置の開発が盛んに行われている。これらＢＤまたはＨＤ−ＤＶＤに対応した光ピックアップ装置では、光ディスクにおける情報の記録または再生に、青色レーザが使用されている。そのため、光ピックアップ装置に搭載される樹脂製光学部品は、青色光に対する耐光性を考慮する必要がある。
【０００３】
青色領域で発光する光は、その波長が短波長であって非常に大きな光エネルギーを有している。このため、樹脂製の基材の表面に高屈折率の反射防止膜を成膜した対物レンズにおいては、基材の表面に成膜された反射防止膜が青色光領域の光エネルギーを吸収することによって局部的に熱を生じてしまい、この熱が基材に伝導することにより基材の表面が形状変化する場合がある。また、基材に熱が伝導すると、反射防止膜と基材との膨張係数の違いに起因して、反射防止膜の耐擦傷性が低下してしまう。一方、基材の表面に反射防止膜を成膜しないと、光の透過率が低下してしまい、光学素子としての実用性が低くなる。また、表面酸化による劣化も起こりやすい。
【０００４】
そこで、例えば、特許文献１には、光の透過率を低下させずに基材の表面の形状変化を抑制するために、基材の表面に屈折率が１．７未満である反射防止膜を設ける技術が記載されている。つまりは、反射防止膜が中屈折率または低屈折率であるので、この反射防止膜が高屈折率の層を含む場合と比較して、紫外線領域の光の照射による熱の発生が少ない。よって、光エネルギーの大きな青色光を含む短波長領域で発光する光を透過光の対象とする場合においても、光の透過率を低下させずに基材表面の形状変化を抑制している。
【０００５】
また、ＢＤやＨＤ−ＤＶＤなどに対応した光ピックアップ装置は、従来のＤＶＤやＣＤにも対応するように構成される場合が多い。この場合、青色光用対物レンズと赤色光・赤外光用対物レンズとの２つを搭載する必要がある。青色光用対物レンズは青色光を対象としているため、材料自体の青色光吸収率も小さく、上記特許文献１に記載の反射防止膜を形成することは有効である。
【特許文献１】特開２００５−３１７１８６号公報（平成１７年１１月１０日公開）
【発明の開示】
【発明が解決しようとする課題】
【０００６】
ところで、ＢＤやＨＤ−ＤＶＤなどに対応した光ピックアップ装置は、従来のＤＶＤやＣＤにも対応するように構成される場合が多い。この場合、青色光用対物レンズと赤色光・赤外光用対物レンズとの２つを搭載する必要がある。青色光用対物レンズは青色光を対象としているため、材料自体の青色光吸収率も小さく、上記特許文献１に記載の反射防止膜を形成することは有効である。
【０００７】
しかしながら、一方で、従来の赤色光・赤外光用対物レンズはオレフィン系樹脂、もしくは脂環式オレフィン系樹脂により形成されているので、材料自身の青色吸収率が大きい。そして、その表面に成膜された反射防止膜も上記特許文献１のような対応をしていないので、わずかな青色光でも光エネルギーを吸収し、劣化が生じてしまうという問題点を有している。
【０００８】
表１に、ＢＤ−Ｒ／ＲＥの各記録形態における各データを示す。表１を参照すると、ＢＤ−ＲＥのＳＬ×１記録のとき、青色光用対物レンズに向かう青色光は、積算光量が９．５５Ｗｈ／ｍｍ２である。ここで、例えば、樹脂製の赤色光・赤外光用対物レンズでは、積算光量が０．２５Ｗｈ／ｍｍ２の場合、外観異常が発生する。それゆえ、この場合、青色光用対物レンズに向かう青色光のうち、約３％が赤色光・赤外光用対物レンズに漏れこんだだけで、赤色光・赤外光用対物レンズでは劣化が発生することになる。
【０００９】
【表１】
0004503058.tif 000002
【００１０】
また、ＤＬ×２記録のときでは、約１％の青色光が赤色光・赤外光用対物レンズに漏れ込んだだけで、赤色光・赤外光用対物レンズでは劣化が生じることになる。ゆえに、２倍速以上の高倍速記録に対しては、さらに厳しいスペックとなる。したがって、ＢＤやＨＤ−ＤＶＤなどに対応した光ピックアップ装置において従来の赤色光・赤外光用対物レンズを用いる場合、赤色光・赤外光用対物レンズへの青色光の漏れ込み防止対策を施す必要がある。数％以下の青色光低透過面、または青色光低反射面を１面だけで形成することは難しく、そのような膜面を形成するためにはコストアップにもつながる。
【００１１】
本発明は、上記従来の問題点に鑑みなされたものであって、その目的は、赤色光・赤外光用対物レンズへの青色光の漏れ込みを著しく抑制し、赤色光・赤外光用対物レンズの劣化を防止することができる光ピックアップ装置を提供することにある。
【課題を解決するための手段】
【００１２】
本発明の光ピックアップ装置は、上記課題を解決するために、青色レーザ光源と、赤色レーザ光源および赤外レーザ光源の少なくとも一方と、上記青色レーザ光源から出射された青色光を光記録媒体に集光する青色光用対物レンズと、上記赤色レーザ光源から出射された赤色光および上記赤外レーザ光源から出射された赤外光を光記録媒体に集光する、赤色光および赤外光用対物レンズとを備える光ピックアップ装置において、上記青色レーザ光源、上記赤色レーザ光源、および上記赤外レーザ光源と、上記青色光用対物レンズ並びに上記赤色光および赤外光用対物レンズとの間の光路中に、上記青色光と、上記赤色光および上記赤外光とを分岐する光路分岐手段を備え、上記光路分岐手段から上記赤色光および赤外光用対物レンズまでの分岐光路中に、上記青色光を減衰する青色光減衰手段が設けられていることを特徴としている。
【００１３】
上記の構成によれば、上記分岐光路中に、上記青色光を減衰する青色光減衰手段が設けられていることにより、光路分岐手段から分岐光路に漏れ込んでしまった青色光が、赤色光および赤外光用対物レンズに到達する量を著しく低減することが可能となる。よって、赤色光および赤外光用対物レンズへの青色光の漏れ込みを著しく抑制し、赤色光および赤外光用対物レンズが青色光を吸収することにより劣化することを防止することが可能となる。
【００１４】
また、本発明の光ピックアップ装置は、上記青色光減衰手段は、上記赤色光および赤外光を透過するとともに上記青色光の透過率が上記青色光の反射率よりも低い青色光低透過面、または、上記赤色光および赤外光を反射するとともに上記青色光の反射率が上記青色光の透過率よりも低い青色光低反射面であることが好ましい。
【００１５】
上記の構成によれば、上記青色光減衰手段が、上記青色光低透過面または上記青色光低反射面であることにより、上記分岐光路がどのような経路の場合であっても、青色光を好適に減衰することが可能となる。
【００１６】
また、本発明の光ピックアップ装置は、上記青色レーザ光源の波長範囲は、３９０ｎｍ以上かつ４２０ｎｍ以下であることが好ましい。
【００１７】
一般的に、ＢＤ（Blu-ray Disc）や、ＨＤ（High Definition）−ＤＶＤなどの青色光ディスク規格により、青色レーザ光源の波長範囲は４０５ｎｍ近傍となっている。よって、上記の構成によれば、上記青色レーザ光源の波長範囲が、３９０ｎｍ以上かつ４２０ｎｍ以下であるので、十分にＢＤやＨＤ−ＤＶＤなどをカバーすることが可能となる。
【００１８】
また、本発明の光ピックアップ装置は、上記青色光低透過面は、波長が３９０ｎｍ以上かつ４２０ｎｍ以下の範囲の青色光の透過率が３０％以下であり、上記青色光低反射面は、波長が３９０ｎｍ以上かつ４２０ｎｍ以下の範囲の青色光の反射率が３０％以下であることが好ましい。
【００１９】
上記の各構成によれば、一般的に、ＢＤや、ＨＤ−ＤＶＤなどの青色光ディスク規格により、青色レーザ光源の波長範囲は４０５ｎｍ近傍となっているので、設定した透過率および反射率を有効的に適用することが可能となる。
【００２０】
また、本発明の光ピックアップ装置は、上記分岐光路中には、複数の上記青色光低透過面、複数の上記青色光低反射面、または、少なくとも１つの上記青色光低透過面および少なくとも１つの上記青色光低反射面よりなる複数の面、が設けられており、上記青色光低透過面および上記青色光低反射面は、波長が３９０ｎｍ以上かつ４２０ｎｍ以下の範囲の青色光を減衰することが好ましい。
【００２１】
上記の構成によれば、上記青色光低透過面のみを複数形成したり、上記青色光低反射面のみを複数形成したり、少なくとも１つの上記青色光低透過面および少なくとも１つの上記青色光低反射面よりなる複数の面を形成したりすることにより、上記分岐光路がどのような経路の場合であっても、本発明を好適に適用するとともに、一般的な青色レーザ光源の波長範囲は４０５ｎｍ近傍となっているので、有効的に青色光を減衰することが可能となる。
【００２２】
また、本発明の光ピックアップ装置は、上記赤色光および赤外光用対物レンズは、オレフィン系樹脂、または脂環式オレフィン系樹脂により形成されていることが好ましい。
【００２３】
一般的に、赤色光および赤外光用対物レンズは、オレフィン系樹脂、または脂環式オレフィン系樹脂により形成されている。よって、上記の構成によれば、青色光を利用するＢＤやＨＤ−ＤＶＤなどに対応した光ピックアップ装置に、赤色光および赤外光を利用するＤＶＤやＣＤなども対応させるために一般的な樹脂製の赤色光および赤外光用対物レンズを用いても、本発明を好適に適用することが可能となる。また、一般的な樹脂製の赤色光および赤外光用対物レンズを用いることができるので、安価に光ピックアップ装置を製造することが可能となる。
【００２４】
また、本発明の光ピックアップ装置は、上記光路分岐手段は、上記赤色光および赤外光を透過させ、かつ、上記青色光用対物レンズが備えられている側に上記青色光を反射させる、青色光立上げミラーであることが好ましい。
【００２５】
上記の構成によれば、青色光と、赤色光および赤外光とを、青色光用対物レンズおよび赤色光および赤外光用対物レンズの配置に応じて、好適に分岐することが可能となる。
【００２６】
また、本発明の光ピックアップ装置は、上記青色光立上げミラーは、上記青色光の透過率が上記青色光の反射率よりも低い青色光低透過面が両面に設けられた平板形状を有していることが好ましい。
【００２７】
上記の構成によれば、青色光立上げミラーから赤色光および赤外光用対物レンズまでの分岐光路に、青色光低透過面を配置し易く、またスペース的に有利に働くので、サイズ縮小化の効果を得ることが可能となる。しかも、部品点数削減によるコストダウンが可能である。
【００２８】
また、本発明の光ピックアップ装置は、上記青色光立上げミラーは、キューブ形状を有しており、上記青色光立上げミラーの内部に設けられ、上記赤色光および赤外光を透過させ、かつ上記青色光を反射させる、上記青色光の透過率が上記青色光の反射率よりも低い内部青色光低透過面と、上記透過させる赤色光および赤外光を外部に出射するキューブ外面であって、上記青色光の透過率が上記青色光の反射率よりも低い青色光低透過面を有する出射面と、を含んでいることが好ましい。
【００２９】
上記の構成によれば、上記青色光立上げミラーはキューブ形状を有していることにより、光軸のシフトが発生しないため、設計が容易である。さらに、組立ても容易となり、組立て時間の短縮が可能となる。
【００３０】
また、本発明の光ピックアップ装置は、上記青色光立上げミラーを透過した上記赤色光および赤外光を、上記赤色光および赤外光用対物レンズが備えられている側に反射させる赤色光および赤外光立上げミラーを備え、上記赤色光および赤外光立上げミラーには、上記赤色光および赤外光を反射させる反射面に、上記青色光の反射率が上記青色光の透過率よりも低い青色光低反射面が設けられていることが好ましい。
【００３１】
上記の構成によれば、赤色光および赤外光を赤色光および赤外光用対物レンズに導きながら、青色光が赤色光および赤外光用対物レンズに到達する量を低減させるという、両方を作用させることが可能となる。
【００３２】
また、本発明の光ピックアップ装置は、上記光路分岐手段は、上記赤色光および赤外光用対物レンズが備えられている側に上記赤色光および赤外光を反射させ、かつ、上記青色光を透過させる、赤色光および赤外光立上げミラーであることが好ましい。
【００３３】
上記の構成によれば、青色光と、赤色光および赤外光とを、青色光用対物レンズおよび赤色光および赤外光用対物レンズの配置に応じて、好適に分岐することが可能となる。
【００３４】
また、本発明の光ピックアップ装置は、上記光路分岐手段は、上記赤色光および赤外光を透過させ、かつ、上記青色光用対物レンズが備えられている側に上記青色光を反射させる反射面を有し、該反射面に、上記青色光の透過率が上記青色光の反射率よりも低い青色光低透過面が設けられている青色光立上げミラーと、上記赤色光および赤外光用対物レンズが備えられている側に上記青色光立上げミラーから透過した赤色光および赤外光を反射させる反射面を有し、該反射面に、上記青色光の反射率が上記青色光の透過率よりも低い青色光低反射面が設けられている赤色光および赤外光立上げミラーと、を一体型にした複合立上げミラーであることが好ましい。
【００３５】
上記の構成によれば、別に赤色光および赤外光立上げミラーを設ける場合と比べて、光学部品の組立てが容易となる。これにより、組立て精度の緩和が可能となり、組立て時間の短縮が可能となる。
【発明の効果】
【００３６】
以上のように、本発明の光ピックアップ装置は、青色レーザ光源、赤色レーザ光源、および赤外レーザ光源と、青色光用対物レンズ並びに赤色光および赤外光用対物レンズとの間の光路中に、青色光と、赤色光および赤外光とを分岐する光路分岐手段を備え、上記光路分岐手段から上記赤色光および赤外光用対物レンズまでの分岐光路中に、上記青色光を減衰する青色光減衰手段が設けられている、という構成を有する。
【００３７】
それゆえ、上記分岐光路中に、上記青色光を減衰する青色光減衰手段が設けられていることにより、光路分岐手段から分岐光路に漏れ込んでしまった青色光が、赤色光および赤外光用対物レンズに到達する量を著しく低減することができる。よって、赤色光および赤外光用対物レンズへの青色光の漏れ込みを著しく抑制し、赤色光および赤外光用対物レンズが青色光を吸収することにより劣化することを防止することができるという効果を奏する。
【発明を実施するための最良の形態】
【００３８】
〔実施の形態１〕
本発明の一実施形態について図面に基づいて説明すれば、以下の通りである。以下では、始めに、本実施の形態の光ピックアップ装置１００全体的な概略構成について説明し、その次に、本実施の形態の光ピックアップ装置１００の特徴的構成について詳細に説明する。
【００３９】
図１は、本実施の形態の光ピックアップ装置１００を上面より見たときの全体的な概略構成を示す図である。なお、図１に示す光ピックアップ装置１００は、光ピックアップ装置として構成される全ての構成を図示しているわけではなく、光ピックアップ装置としての機能を有するように好適に構成される。
【００４０】
本実施の形態の光ピックアップ装置１００は、図１に示すように、青色レーザ１（青色レーザ光源）、赤色レーザ２（赤色レーザ光源）、赤外レーザ３（赤外レーザ光源）、青色光用回折格子４、赤色光用回折格子５、赤外光用回折格子６、青色光用ビームスプリッタ７、赤色光・赤外光用ダイクロプリズム８、赤色光・赤外光用ビームスプリッタ９、コリメートレンズ１０、青色光立上げミラー１１、赤色光・赤外光立上げミラー１２（赤色光および赤外光立上げミラー）、青色光用対物レンズ１３、赤色光・赤外光用対物レンズ１４（赤色光および赤外光用対物レンズ）、センサーレンズ１５、ＰＤＩＣ１６、赤外用カップリングレンズ１７、および１／４波長板１８を備えている。
【００４１】
本実施の形態の光ピックアップ装置１００は、青色レーザ１、赤色レーザ２、および赤外レーザ３の３つのレーザを搭載する３波長対応光ピックアップである。これにより、本実施の形態の光ピックアップ装置１００は、例えば、ＢＤおよびＨＤ−ＤＶＤなどの青色光対応光ディスク、ＤＶＤやＣＤなどの赤色光および赤外光対応光ディスクに対して、データ情報の記録および再生が対応可能となっている。
【００４２】
青色レーザ光の波長範囲は、ＢＤやＨＤのディスク規格により４０５ｎｍ近傍となる。それゆえ、本実施の形態の光ピックアップ装置１００では、青色レーザ１から発光される青色レーザ光の波長は、４０５ｎｍ±１５ｎｍの範囲（すなわち、３９０ｎｍ以上かつ４２０ｎｍ以下の範囲）を想定している。これにより、十分にＢＤやＨＤ−ＤＶＤなどをカバーすることが可能となり、想定して殆どの場合問題はない。
【００４３】
青色レーザ１から出射される青色光は、トラックサーボ用の青色光用回折格子４を透過後、青色光用ビームスプリッタ７にて反射することにより光線方向を変えて進み、赤色光・赤外光用ビームスプリッタ９を透過後、コリメートレンズ１０により平行光となる。そして、平行光となった青色光は、１／４波長板１８を透過後、詳細には後述する青色光と赤色光および赤外光と分岐する光路分岐素子である青色光立上げミラー１１にて反射することにより光線方向を変えて進み、青色光用対物レンズ１３により集光されて、光ディスクに照射される。
【００４４】
また、光ディスクからの青色反射光は、青色光用対物レンズ１３により平行光となり、青立上げミラー１１にて反射することにより光線方向を変えて進み、１／４波長板１８を透過後、コリメートレンズ１０にて収束光となる。その後、青色収束光は、赤色光・赤外光用ビームスプリッタ９と青色光用ビームスプリッタ７を透過後、センサーレンズ１５にてフォーカスサーボ用非点収差を付加され、ＰＤＩＣ１６上に集光される。ＰＤＩＣ１６は、フォトダイオード（ＰＤ）を含んだＩＣチップである。ＰＤＩＣ１６では、ＰＤにより受光された青色光が、再生信号やサーボ信号に変換される。
【００４５】
一方、赤色レーザ２から出射される赤色光は、トラックサーボ用の赤色光用回折格子５を透過後、赤色光・赤外光用ダイクロプリズム８にて反射することにより光線方向を変えて進む。また、赤外レーザ３から出射される赤外光は、トラックサーボ用の赤外光用回折格子６を透過後、赤外用カップリングレンズ１７にて光の結合効率が変換された後、赤色光・赤外光用ダイクロプリズム８を透過し、ここから後は赤色レーザ２から出射される赤色光と同一の光路を進む。
【００４６】
赤色光・赤外光用ダイクロプリズム８にて反射した赤色光、および、赤色光・赤外光用ダイクロプリズム８を透過した赤外光は、赤色光・赤外光用ビームスプリッタ９にて反射することにより光線方向を変えて進み、コリメートレンズ１０により略平行光となる。そして、平行光となった赤色光および赤外光は、１／４波長板１８および青色光立上げミラー１１の順番で透過後、赤色光・赤外光立上げミラー１２にて反射することにより光線方向を変えて進み、赤色光・赤外光用対物レンズ１４により集光されて、光ディスクに照射される。
【００４７】
また、光ディスクからの赤色反射光および赤外反射光は、赤色光・赤外光用対物レンズ１４により再び略平行光となり、赤色光・赤外光立上げミラー１２にて反射することにより光線方向を変えて進み、青色光立上げミラー１１および１／４波長板１８の順番で透過後、コリメートレンズ１０にて収束光となる。その後、赤色収束光および赤外収束光は、赤色光・赤外光用ビームスプリッタ９と青色光用ビームスプリッタ７を透過後、センサーレンズ１５にてフォーカスサーボ用非点収差を付加され、ＰＤＩＣ１６上に集光される。ＰＤＩＣ１６では、ＰＤにより受光された赤色光および赤外光が、再生信号やサーボ信号に変換される。
【００４８】
なお、青色光用対物レンズ１３は樹脂からなり、青色光を対象としているため材料自体の青色光吸収率も小さい。青色光用対物レンズ１３では、光を入射する表面に、青色光領域の光エネルギーに対策された反射防止膜が成膜されている。
【００４９】
また、赤色光・赤外光用対物レンズ１４は樹脂からなり、従来一般的に使用される、オレフィン系樹脂、または脂環式オレフィン系樹脂が使用されている。赤色光・赤外光用対物レンズ１４では、光を入射する表面に、赤色光・赤外光領域の光エネルギーに対策された反射防止膜が成膜されている。
【００５０】
次いで、本実施の形態の光ピックアップ装置１００の特徴的構成について詳細に説明する。
【００５１】
図２は、本実施の形態の光ピックアップ装置１００における、青色光立上げミラー１１、赤色光・赤外光立上げミラー１２、青色光用対物レンズ１３、および赤色光・赤外光用対物レンズ１４の構成部分を側面より見た図である。
【００５２】
矢印Ａは、光線の入射方向を示している。すなわち、１／４波長板１８から青色光立上げミラー１１までの方向に進む光の方向を示している。なお、この方向を、以下では光線入射方向Ａとする。
【００５３】
青色光立上げミラー１１は、平板形状を有しており、光線入射方向Ａに進む青色光の光路を青色光用対物レンズ１３が配置されている方向に変えるように、光線入射方向Ａと入射面とが好適な角度を有するように配置されている。また、青色光立上げミラー１１は、光路分岐素子（光路分岐手段）として用いており、光線入射方向Ａに進む光が入射する面に、青色光と、赤色光および赤外光とを分岐する青色／赤色・赤外光路分岐面２１が形成されている。
【００５４】
青色／赤色・赤外光路分岐面２１は、青色光を反射し、かつ、赤色光および赤外光を透過させる面であり、青色光の透過率が低い青色光低透過膜からなる。そして、光線入射方向Ａに進む光が透過して出射する面、すなわち反対側の面に、赤色光および赤外光を透過するとともに青色光の透過率が低い青色光低透過面２２が形成されている。
【００５５】
赤色光・赤外光立上げミラー１２は、平板形状を有しており、青色光立上げミラー１１を透過した赤色光および赤外光、すなわち青色光立上げミラー１１の青色光低透過面２２から出射される赤色光および赤外光の光路を赤色光・赤外光用対物レンズ１４が配置されている方向に変えるように、青色光低透過面２２からの出射方向と入射面とが好適な角度を有するように配置されている。また、赤色光・赤外光立上げミラー１２では、青色光立上げミラー１１を透過した赤色光および赤外光が反射する反射面に、青色光の反射率が低い青色光低反射面２３が形成されている。
【００５６】
なお、一つの光学面において、青色光の透過率と青色光の反射率とを比較して、透過率が反射率よりも低い場合を、青色光の透過率が低い面（以下、青色光低透過面と称する）と定義し、一方、反射率が透過率よりも低い場合を、青色光の反射率が低い面（以下、青色光低反射面と称する）と定義している。つまりは、赤色／赤色・赤外光路分岐面２１および青色光低透過面２２は、青色光の透過率が青色光の反射率よりも低い青色光低透過面である。青色光低反射面２３は、青色光の反射率が青色光の透過率よりも低い青色光低反射面である。
【００５７】
続いて、光線入射方向Ａに進む光の経路について詳細に説明する。
【００５８】
光線入射方向Ａに進む光が赤色光および赤外光の場合、赤色光および赤外光は、青色光立上げミラー１１において、青色／赤色・赤外光路分岐面２１を透過した後、さらに青色光低透過面２２を透過して、赤色光・赤外光立上げミラー１２に向かって進む。そして、赤色光および赤外光は、赤色光・赤外光立上げミラー１２の青色光低反射面２３にて反射することにより、その光線方向を赤色光・赤外光用対物レンズ１４の方向に変えられ、赤色光・赤外光用対物レンズ１４に向かって進む。
【００５９】
光線入射方向Ａに進む光が青色光の場合、青色光は、青色光立上げミラー１１の青色／赤色・赤外光路分岐面２１にて反射することにより、その光線方向を青色光用対物レンズ１３の方向に変えられ、青色光用対物レンズ１３に向かって進む。
【００６０】
ところが、青色光が、青色光立上げミラー１１の青色／赤色・赤外光路分岐面２１にて全反射せずに、青色／赤色・赤外光路分岐面２１を透過してしまうことが生じる場合がある。この場合、従来であれば、例えば、この通過した青色光がそのまま、材料自身の青色吸収率が大きいオレフィン系樹脂、または脂環式オレフィン系樹脂により形成されている赤色光・赤外光用対物レンズ１４に漏れこんでしまい、青色光を吸収することにより赤色光・赤外光用対物レンズ１４に劣化が生じた。
【００６１】
しかし、本実施の形態の光ピックアップ装置１００では、青色／赤色・赤外光路分岐面２１を通過してしまった青色光は、赤色光・赤外光用対物レンズ１４に到達する前に先に青色光低透過面２２に到達する。それでも青色光低透過面２２を透過してしまった青色光は、まだ赤色光・赤外光用対物レンズ１４に到達する前に青色光低反射面２３に到達する。それでも青色光低反射面２３を反射してしまった青色光のみが、赤色光・赤外光用対物レンズ１４に向かって進む。すなわち、青色／赤色・赤外光路分岐面２１を通過してしまった青色光は、青色光低透過面２２および青色光低反射面２３を経ないと、赤色光・赤外光用対物レンズ１４に到達することはできない。
【００６２】
例えば、青色／赤色・赤外光路分岐面２１の青色光透過率が５％、青色光低透過面２２の青色透過率が３０％、および青色光低反射面２３の青色反射率が３０％であれば、赤色光・赤外光用対物レンズ１４に向かう青色光は、青色光用対物レンズ１３に向かう青色光の０．４５％と非常に小さい値となる。これにより、従来問題であった青色光による赤色光・赤外光用対物レンズ１４の劣化を防止することが可能となる。
【００６３】
以上、本実施の形態の光ピックアップ装置１００では、青色光と、赤色光および赤外光とを分岐する青色光立上げミラー１１の青色／赤色・赤外光路分岐面２１から、赤色光・赤外光用対物レンズ１４の表面までの分岐光路中に、青色光低透過面２２および青色光低反射面２３、すなわち青色光を減衰する青色光減衰手段が設けられている。
【００６４】
従来、一般的に、数％以下の青色光低透過面、または青色光低反射面を１面だけで形成することは難しく、そのような膜面を形成するためにはコストアップにもつながるという問題があった。
【００６５】
これに対し、本実施の形態の光ピックアップ装置１００では、青色光低透過面および青色光低反射面を複数面形成することにより、全体として数％以下の透過率または反射率を簡単に達成することが可能となっている。すなわち、本実施の形態の光ピックアップ装置１００では、青色光低透過面２２および青色光低反射面２３が設けられていることにより、例えば、青色／赤色・赤外光路分岐面２１の青色光透過率が１０％、青色光低透過面２２の青色透過率が１０％、および青色光低反射面２３の青色反射率が１０％であれば、上記光路における全体の青色光の減衰率は０．１％となる。
【００６６】
これにより、青色／赤色・赤外光路分岐面２１から赤色光・赤外光用対物レンズ１４の表面までの光路に漏れ込んだ青色光が、赤色光・赤外光用対物レンズ１４に到達する量を著しく低減することが可能となる。よって、赤色光・赤外光用対物レンズ１４への青色光の漏れ込みを著しく抑制し、赤色光・赤外光用対物レンズ１４が青色光を吸収することにより劣化することを防止することが可能となる。
【００６７】
なお、青色／赤色・赤外光路分岐面２１、青色光低透過面２２、および青色光低反射面２３の波長選択範囲は、青色レーザ１から発光される青色レーザ光の波長に合わせて、４０５ｎｍ±１５ｎｍとすることが好ましい。これにより、設定した透過率および反射率を有効的に適用することが可能となる。もちろん、上記波長選択範囲は、青色レーザ１から発光される青色レーザ光の波長に変更があれば、それに応じて変更できる。
【００６８】
また、青色光の透過率が低い青色光低透過膜からなる青色／赤色・赤外光路分岐面２１、および青色光の透過率が低い青色光低透過面２２は、波長範囲が４０５ｎｍ±１５ｎｍの青色光の透過率が３０％以下であることが好ましい。また、青色光の反射率が低い青色光低反射面２３は、波長範囲が４０５ｎｍ±１５ｎｍの青色光の反射率が３０％以下であることが好ましい。これにより、例えば、青色光低透過面および青色光低反射面のうち少なくとも２面を形成するだけで、全体として９％以下の透過率または反射率を簡単に達成することが可能となる。
【００６９】
さらに、全体としての透過率または反射率、すなわち減衰率は、波長範囲が４０５ｎｍ±１５ｎｍの青色光の減衰率が３％以下であることが好ましい。これにより、赤色光・赤外光用対物レンズ１４への青色光の漏れ込みを著しく抑制し、赤色光・赤外光用対物レンズ１４の劣化をより防止することが可能となる。
【００７０】
また、青色光立上げミラー１１を光路分岐素子として用いることにより、青色光と赤色光および赤外光とを分岐する面、すなわち青色／赤色・赤外光路分岐面２１から、赤色光・赤外光用対物レンズ１４までの間の光路に、青色光低透過面、および青色光低反射面を配置し易い。また、スペース的に有利に働き、サイズの小型化が可能となる。しかも、部品点数削減によるコストダウンが可能である。
【００７１】
しかしながら、光路分岐素子としては、青色光立上げミラー１１に限るものではない。図２に示した青色光立上げミラー１１および赤色光・赤外光立上げミラー１２に替えて、キューブ形状青色光立上げミラー３１および赤色光・赤外光立上げミラー３２を構成したときの図を図３に示す。
【００７２】
キューブ形状青色光立上げミラー３１は、キューブ形状（立方体）を有しており、光線入射方向Ａに進む青色光の光路を青色光用対物レンズ１３が配置されている方向に変えるように、内部に立上げミラー部が設けられている。また、キューブ形状青色光立上げミラー３１は、光路分岐素子（光路分岐手段）として用いており、光線入射方向Ａに進む光が入射する立上げミラー部に、青色光と、赤色光および赤外光とを分岐する青色／赤色・赤外光路分岐面３５（内部青色光低透過面）が形成されている。
【００７３】
青色／赤色・赤外光路分岐面３５は、青色光を反射し、かつ、赤色光および赤外光を透過させる面であり、青色光の透過率が低い青色光低透過膜からなる。そして、光線入射方向Ａに進む光が透過してキューブ形状青色光立上げミラー３１から外部に出射するキューブ外面である出射面に、赤色光および赤外光を透過するとともに青色光の透過率が低い青色光低透過面３６が形成されている。
【００７４】
赤色光・赤外光立上げミラー３２は、光線入射方向Ａに平行な方向の断面が台形の板形状を有しており、キューブ形状青色光立上げミラー３１を透過した赤色光および赤外光、すなわちキューブ形状青色光立上げミラー３１の青色光低透過面３６から出射される赤色光および赤外光の光路を赤色光・赤外光用対物レンズ１４が配置されている方向に変えるように、青色光低透過面３６からの出射方向と入射面とが好適な角度を有するように配置されている。また、赤色光・赤外光立上げミラー３２では、キューブ形状青色光立上げミラー３１を透過した赤色光および赤外光が反射する反射面に、青色光の反射率が低い青色光低反射面３７が形成されている。
【００７５】
上記構成の場合においても、図２を参照しながら説明した各光の光路と同様に、青色光は、キューブ形状青色光立上げミラー３１の青色／赤色・赤外光路分岐面３５を反射して青色光用対物レンズ１３に向かって進む。そして、赤色光および赤外光は、青色／赤色・赤外光路分岐面３５、青色光低透過面３６、および青色光低反射面３７の順番に介して、赤色光・赤外光用対物レンズ１４に向かって進む。
【００７６】
しかし、青色／赤色・赤外光路分岐面３５を通過してしまった青色光は、青色光低透過面３６および青色光低反射面３７を経ないと、赤色光・赤外光用対物レンズ１４に到達することはできない。
【００７７】
つまりは、青色光と、赤色光および赤外光とを分岐するキューブ形状青色光立上げミラー３１の青色／赤色・赤外光路分岐面３５から、赤色光・赤外光用対物レンズ１４の表面までの分岐光路中に、青色光低透過面３６および青色光低反射面３７、すなわち青色光を減衰する青色光減衰手段が設けられている。
【００７８】
例えば、青色／赤色・赤外光路分岐面３５の青色光透過率が５％、青色光低透過面３６の青色透過率が３０％、および青色光低反射面３７の青色反射率が３０％であれば、赤色光・赤外光用対物レンズ１４に向かう青色光は、青色光用対物レンズ１３に向かう青色光の０．４５％と非常に小さい値となる。これにより、従来問題であった青色光による赤色光・赤外光用対物レンズ１４の劣化を防止することが可能となる。
【００７９】
また、キューブ形状青色光立上げミラー３１を光路分岐素子として用いることにより、赤色光および赤外光はキューブ形状青色光立上げミラー３１を透過することになるので、光軸のシフトが発生しないため、設計が容易である。さらに、組立ても容易となり、組立て時間の短縮が可能となる。
【００８０】
また、光路分岐素子として、図４に示す複合立上げミラー４１を用いてもよい。図４は、図２に示した青色光立上げミラー１１および赤色光・赤外光立上げミラー１２に替えて、複合立上げミラー４１を構成したときの図である。
【００８１】
複合立上げミラー４１は、青色光立上げミラーと赤色光・赤外光立上げミラー１２とをプリズム形状（角柱）に一体化した立上げミラーであり、その内部に、光線入射方向Ａから順番に、青色光立上げミラー部と、赤色光・赤外光立上げミラー部とが設けられている。
【００８２】
青色光立上げミラー部は、光線入射方向Ａに進む青色光の光路を青色光用対物レンズ１３が配置されている方向に変えるように設けられている。また、光線入射方向Ａに進む光が入射する青色光立上げミラー部の反射面に、青色光と、赤色光および赤外光とを分岐する青色／赤色・赤外光路分岐面４５が形成されている。青色／赤色・赤外光路分岐面４５は、青色光を反射し、かつ、赤色光および赤外光を透過させる面であり、青色光の透過率が低い青色光低透過膜からなる。
【００８３】
赤色光・赤外光立上げミラー部は、青色／赤色・赤外光路分岐面４５を透過した赤色光および赤外光の光路を、赤色光・赤外光用対物レンズ１４が配置されている方向に変えるように設けられている。また、青色／赤色・赤外光路分岐面４５を透過した赤色光および赤外光が入射する赤色光・赤外光立上げミラー部の反射面に、青色光の反射率が低い青色光低反射面４６が形成されている。そして、青色光低反射面４６から反射した赤色光および赤外光が外部に出射する複合立上げミラー４１の表面に、青色光の透過率が低い青色光低透過面４７が形成されている。
【００８４】
上記構成の場合においても、図２を参照しながら説明した各光の光路と同様に、青色光は、複合立上げミラー４１の青色／赤色・赤外光路分岐面４５を反射して青色光用対物レンズ１３に向かって進む。そして、赤色光および赤外光は、青色／赤色・赤外光路分岐面４５、青色光低反射面４６、および青色光低透過面４７の順番に介して、赤色光・赤外光用対物レンズ１４に向かって進む。
【００８５】
しかし、青色／赤色・赤外光路分岐面４５を通過してしまった青色光は、青色光低反射面４６および青色光低透過面４７を経ないと、赤色光・赤外光用対物レンズ１４に到達することはできない。
【００８６】
つまりは、青色光と、赤色光および赤外光とを分岐する複合立上げミラー４１の青色／赤色・赤外光路分岐面４５から、赤色光・赤外光用対物レンズ１４の表面までの分岐光路中に、青色光低反射面４６および青色光低透過面４７、すなわち青色光を減衰する青色光減衰手段が設けられている。
【００８７】
例えば、青色／赤色・赤外光路分岐面４５の青色光透過率が５％、青色光低反射面４６の青色反射率が３０％、および青色光低透過面４７の青色透過率が３０％であれば、赤色光・赤外光用対物レンズ１４に向かう青色光は、青色光用対物レンズ１３に向かう青色光の０．４５％と非常に小さい値となる。これにより、従来問題であった青色光による赤色光・赤外光用対物レンズ１４の劣化を防止することが可能となる。
【００８８】
また、複合立上げミラー４１を光路分岐素子として用いることにより、光路分岐素子として青色光立上げミラー１１またはキューブ形状青色光立上げミラー３１を用いる場合と比較して、光学部品の組立てが容易である。これにより、組立て精度の緩和が可能となり、組立て時間の短縮が可能となる。
【００８９】
なお、上述した本実施の形態の光ピックアップ装置１００では、青色光と、赤色光および赤外光とを分岐する青色／赤色・赤外光路分岐面から、赤色光・赤外光用対物レンズ１４の表面までの光路中に、青色光低透過面および青色光低反射面が１面ずつ設けられている構成であった。しかしながら、これに限らず、青色光低透過面および青色光低反射面は、それぞれが複数面設けられていてもよいし、どのような配置（順番）であってもよい。この場合の一実施例は次の実施の形態２にて説明する。
【００９０】
また、光ピックアップ装置の光学部品の設計に応じて、青色光低透過面のみを複数面設けてもよいし、青色光低反射面のみを複数面設けてもよい。つまりは、青色／赤色・赤外光路分岐面から、赤色光・赤外光用対物レンズ１４の表面までの光路中に、青色光を減衰する青色光減衰手段が設けられていればよい。上記光路がどのような経路の場合であっても、本発明を好適に適用することが可能となる。
【００９１】
また、本実施の形態の光ピックアップ装置１００は、従来一般的に使用されているオレフィン系樹脂、または脂環式オレフィン系樹脂により形成されている赤色光・赤外光用対物レンズ１４を備えて効果を奏している。このため、青色光を利用するＢＤやＨＤ−ＤＶＤなどに対応した光ピックアップ装置に、赤色光および赤外光を利用するＤＶＤやＣＤなども対応させるために一般的な樹脂製の赤色光および赤外光用対物レンズを用いても、本発明を好適に適用することが可能となる。また、一般的な樹脂製の赤色光・赤外光用対物レンズを用いることができるので、安価に光ピックアップ装置を製造することが可能となる。
【００９２】
〔実施の形態２〕
本発明の他の実施の形態について図面に基づいて説明すれば、以下の通りである。なお、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【００９３】
図５は、本実施の形態の光ピックアップ装置１１０を上面より見たときの全体的な概略構成を示す図である。なお、図５に示す光ピックアップ装置１１０は、光ピックアップ装置として構成される全ての構成を図示しているわけではなく、光ピックアップ装置としての機能を有するように好適に構成される。
【００９４】
本実施の形態の光ピックアップ装置１１０は、前記実施の形態１の光ピックアップ装置１００の構成に加えて、図５に示すように、第１反射ミラー５１、および第２反射ミラー５２を備えている。なお、本実施の形態の光ピックアップ装置１１０では、青色光立上げミラー１１に青色光低透過面２２は形成されていない。
【００９５】
第１反射ミラー５１は、平板形状を有しており、１／４波長板１８と青色光立上げミラー１１との間であって、１／４波長板１８から出射された青色光の光路を青色光立上げミラー１１が配置されている方向に変えるような好適な角度を有するように配置されている。また、第１反射ミラー５１は、光路分岐素子（光路分岐手段）として用いており、１／４波長板１８から出射された光が入射する面に、青色光と、赤色光および赤外光とを分岐する青色／赤色・赤外光路分岐面５５が形成されている。
【００９６】
青色／赤色・赤外光路分岐面５５は、青色光を反射し、かつ、赤色光および赤外光を透過させる面であり、青色光の透過率が低い青色光低透過膜からなる。そして、１／４波長板１８から出射された光が透過して出射する面、すなわち反対側の面に、赤色光および赤外光を透過するとともに青色光の透過率が低い青色光低透過面５６が形成されている。
【００９７】
第２反射ミラー５２は、平板形状を有しており、第１反射ミラー５１と赤色光・赤外光立上げミラー１２との間であって、第１反射ミラー５１を透過した赤色光および赤外光、すなわち第１反射ミラー５１の青色光低透過面５６から出射される赤色光および赤外光の光路を赤色光・赤外光立上げミラー１２が配置されている方向に変えるような好適な角度を有するように配置されている。また、第２反射ミラー５２では、第１反射ミラー５１を透過した赤色光および赤外光が反射する反射面に、青色光の反射率が低い青色光低反射面５７が形成されている。
【００９８】
上記構成を有する本実施の形態の光ピックアップ装置１１０では、１／４波長板１８と、青色光用対物レンズ１３および赤色光・赤外光用対物レンズ１４との間の光路以外は、前記実施の形態１の光ピックアップ装置１００の光路と同様である。それゆえ、続いて、１／４波長板１８から出射された光が進む光路について詳細に説明する。
【００９９】
１／４波長板１８から出射された光が赤色光および赤外光の場合、赤色光および赤外光は、第１反射ミラー５１において、青色／赤色・赤外光路分岐面５５を透過した後、さらに青色光低透過面５６を透過して、第２反射ミラー５２に向かって進む。そして、赤色光および赤外光は、第２反射ミラー５２の青色光低反射面５７にて反射することにより、その光線方向を赤色光・赤外光立上げミラー１２の方向に変えられ、赤色光・赤外光立上げミラー１２に向かって進む。そして最終的に、赤色光および赤外光は、赤色光・赤外光立上げミラー１２の青色光低反射面２３にて反射することにより、その光線方向を赤色光・赤外光用対物レンズ１４の方向に変えられ、赤色光・赤外光用対物レンズ１４に向かって進む。
【０１００】
１／４波長板１８から出射された光が青色光の場合、青色光は、第１反射ミラー５１の青色／赤色・赤外光路分岐面５５にて反射することにより、その光線方向を青色光立上げミラー１１の方向に変えられ、青色光立上げミラー１１に向かって進む。そして、青色光は、青色光立上げミラー１１にて反射することにより、その光線方向を青色光用対物レンズ１３の方向に変えられ、青色光用対物レンズ１３に向かって進む。
【０１０１】
ところが、上述したように、青色光が、第１反射ミラー５１の青色／赤色・赤外光路分岐面５５にて全反射せずに、青色／赤色・赤外光路分岐面５５を透過してしまうことが生じる場合がある。この場合、この通過した青色光がそのまま赤色光・赤外光用対物レンズ１４に漏れこんでしまい、青色光を吸収することにより赤色光・赤外光用対物レンズ１４に劣化が生じてしまう。
【０１０２】
これに対して、本実施の形態の光ピックアップ装置１１０では、青色／赤色・赤外光路分岐面５５を通過してしまった青色光は、赤色光・赤外光用対物レンズ１４に到達する前に先に青色光低透過面５６に到達する。それでも青色光低透過面５６を透過してしまった青色光は、まだ赤色光・赤外光用対物レンズ１４に到達する前に青色光低反射面５７に到達する。それでも青色光低反射面５７を反射してしまった青色光は、まだ赤色光・赤外光用対物レンズ１４に到達する前に青色光低反射面２３に到達する。それでも青色光低反射面２３を反射してしまった青色光のみが、赤色光・赤外光用対物レンズ１４に向かって進む。すなわち、青色／赤色・赤外光路分岐面５５を通過してしまった青色光は、青色光低透過面５６、青色光低反射面５７、および青色光低反射面２３を経ないと、赤色光・赤外光用対物レンズ１４に到達することはできない。
【０１０３】
例えば、青色／赤色・赤外光路分岐面５５の青色光透過率が５％、青色光低透過面５６の青色透過率が３０％、青色光低反射面５７の青色反射率が３０％、および青色光低反射面２３の青色反射率が３０％であれば、赤色光・赤外光用対物レンズ１４に向かう青色光は、青色光用対物レンズ１３に向かう青色光の０．１３５％と非常に大変小さい値となる。これにより、従来問題であった青色光による赤色光・赤外光用対物レンズ１４の劣化をより防止することが可能となる。
【０１０４】
以上、本実施の形態の光ピックアップ装置１１０では、青色光と、赤色光および赤外光とを分岐する第１反射ミラー５１の青色／赤色・赤外光路分岐面５５から、赤色光・赤外光用対物レンズ１４の表面までの分岐光路中に、青色光低透過面５６、青色光低反射面５７、および青色光低反射面２３、すなわち青色光を減衰する青色光減衰手段が設けられている。
【０１０５】
それゆえ、青色光低透過面５６、青色光低反射面５７、および青色光低反射面２３が形成されていることにより、例えば、青色／赤色・赤外光路分岐面５５の青色光透過率が１０％、青色光低透過面５６の青色透過率が２０％、青色光低反射面５７の青色反射率が２０％、および青色光低反射面２３の青色反射率が２０％であれば、上記光路における全体の青色光の減衰率は０．０８％となる。
【０１０６】
これにより、青色／赤色・赤外光路分岐面５５から赤色光・赤外光用対物レンズ１４の表面までの光路に漏れ込んだ青色光が、赤色光・赤外光用対物レンズ１４に到達する量を著しく低減することが可能となる。よって、赤色光・赤外光用対物レンズ１４への青色光の漏れ込みを著しく抑制し、赤色光・赤外光用対物レンズ１４が青色光を吸収することにより劣化することを防止することが可能となる。
【０１０７】
なお、図１に示した前記実施の形態１の光ピックアップ装置１００、および、図５に示した本実施の形態の光ピックアップ装置１１０においては、青色光用対物レンズ１３および赤色光・赤外光用対物レンズ１４を上述したような配置としたが、これに限定されない。すなわち、青色光用対物レンズ１３の配置と赤色光・赤外光用対物レンズ１４の配置とを入れ替えることもできる。
【０１０８】
例えば、前記実施の形態の光ピックアップ装置１００において、青色光用対物レンズ１３の配置と赤色光・赤外光用対物レンズ１４の配置とを入れ替える場合、青色光立上げミラー１１と赤色光・赤外光立上げミラー１２との配置を入れ替えて、赤色光・赤外光立上げミラー１２の青色光低反射面２３から赤色光・赤外光用対物レンズ１４の表面までの分岐光路中に、青色光を減衰する青色光減衰手段を設ければよい。このように、赤色光・赤外光立上げミラー１２を光路分岐素子（光路分岐手段）として用いることもできる。
【０１０９】
また、例えば、本実施の形態の光ピックアップ装置１１０において、青色光用対物レンズ１３の配置と赤色光・赤外光用対物レンズ１４の配置とを入れ替える場合、第１反射ミラー５１の青色光低透過面５６、第２反射ミラー５２の青色光低反射面５７、および、赤色光・赤外光立上げミラー１２の青色光低反射面２３を形成せずに、第１反射ミラー５１の青色／赤色・赤外光路分岐面５５を、青色光の反射率が低い青色光低反射膜により形成し、赤色光・赤外光立上げミラー１２に青色光低反射面を形成すればよい。
【０１１０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１１１】
本発明は、光ディスクなどの情報記録媒体に対して、光学的に情報を記録または再生する際に、青色レーザ、赤色レーザ、および赤外レーザを上記光ディスクの種類に応じて用いる光ピックアップ装置に適用できる。具体的には、ＢＤ、ＨＤ−ＤＶＤ、ＤＶＤ、およびＣＤなどに対応した光ピックアップ装置に適用することができる。
【図面の簡単な説明】
【０１１２】
【図１】本発明における光ピックアップ装置の光学的構成を示す概略図である。
【図２】上記光ピックアップ装置の光学的構成における、光路分岐面から各対物レンズまでの構成部分の一実施例を示す側面図である。
【図３】上記光ピックアップ装置の光学的構成における、光路分岐面から各対物レンズまでの構成部分の他の実施例を示す側面図である。
【図４】上記光ピックアップ装置の光学的構成における、光路分岐面から各対物レンズまでの構成部分のさらに他の実施例を示す側面図である。
【図５】本発明における光ピックアップ装置の他の光学的構成を示す概略図である。
【符号の説明】
【０１１３】
１  青色レーザ（青色レーザ光源）
２  赤色レーザ（赤色レーザ光源）
３  赤外レーザ（赤外レーザ光源）
１１  青色光立上げミラー（光路分岐手段）
１２  赤色光・赤外光立上げミラー（光路分岐手段、赤色光および赤外光立上げミラー）
１３  青色光用対物レンズ
１４  赤色光・赤外光用対物レンズ（赤色光および赤外光用対物レンズ）
１８  １／４波長板
２１  青色／赤色・赤外光路分岐面（青色光低透過面）
２２  青色光低透過面（青色光減衰手段）
２３  青色光低反射面（青色光減衰手段、反射面）
３１  キューブ形状青色光立上げミラー（光路分岐手段）
３２  赤色光・赤外光立上げミラー（赤色光および赤外光立上げミラー）
３５  青色／赤色・赤外光路分岐面（内部青色光低透過面）
３６  青色光低透過面（青色光減衰手段、出射面）
３７  青色光低反射面（青色光減衰手段、反射面）
４１  複合立上げミラー（光路分岐手段）
４５  青色／赤色・赤外光路分岐面（青色光低透過面、反射面）
４６  青色光低反射面（青色光減衰手段、反射面）
４７  青色光低透過面（青色光減衰手段）
５１  第１反射ミラー（光路分岐手段）
５２  第２反射ミラー
５５  青色／赤色・赤外光路分岐面
５６  青色光低透過面（青色光減衰手段）
５７  青色光低反射面（青色光減衰手段）
１００，１１０  光ピックアップ装置
【図１】
0004503058.tif 000003
【図２】
0004503058.tif 000004
【図３】
0004503058.tif 000005
【図４】
0004503058.tif 000006
【図５】
0004503058.tif 000007